(57)【要約】      （修正有）【課題】コンクリート布基礎に開口する床下換気口の換気作用を、自動的に促進させるための便利な換気促進用具を提供する。【解決手段】地面に設置する安定接地座Ｂと、その接地座Ｂから連続一体に起立する風誘導壁Ｃとを備え、その風誘導壁Ｃの前面を建物における既設の床下換気口に向かって張り出す平面視の凸曲面１５に造形した。【選択図】図１
0003207280.tif 000002
【実用新案登録請求の範囲】
【請求項１】
地面に設置する安定接地座と、その接地座から連続一体に起立する風誘導壁とを備え、その風誘導壁の前面を建物における既設の床下換気口に向かって張り出す平面視の凸曲面に造形したことを特徴とする床下換気口の換気促進用具。
【請求項２】
地面に設置する安定接地座と、その接地座から連続一体に起立する風誘導壁とを備え、その風誘導壁の前面を建物における既設の床下換気口に向かって張り出す平面視の二等辺三角形の二等辺となる傾斜面や等脚台形の等脚辺となる傾斜面、その他の左右対称な傾斜面に造形したことを特徴とする床下換気口の換気促進用具。
【請求項３】
風誘導壁を既設の床下換気口よりも大きい正面視の相似な輪郭形状に造形したことを特徴とする請求項１又は２記載の床下換気口の換気促進用具。
【請求項４】
安定接地座の前端部を建物のコンクリート布基礎へ接当させれば、そのコンクリート布基礎やこれに開口している既設の床下換気口と、風誘導壁の凸曲面又は左右対称な傾斜面との相互間隙が常時一定に確保されることを特徴とする請求項１又は２記載の床下換気口の換気促進用具。
【考案の詳細な説明】
【技術分野】
【０００１】
本考案は建物のコンクリート布基礎に開口する床下換気口の換気作用を、自動的に促進させるための便利な換気促進用具に関する。
【背景技術】
【０００２】
本考案と同じ目的の換気促進用具としては、特許文献１に記載の考案と特許文献２に記載の発明とが提案されている。
【０００３】
その何れも、床下換気口へ左右方向から風を取り込むことができる仕切り板を有する点で、本考案に最も近似する公知技術であると考えられる。
【先行技術文献】
【特許文献】
【０００４】
【特許文献１】実用新案登録第３０８２７７７号公報
【特許文献２】特開２００４−５２４４４号公報
【考案の概要】
【考案が解決しようとする課題】
【０００５】
ところが、特許文献１に記載された「床下換気装置」では、平面視の約４５度に設置された向かい合う一対の仕切り板によって、たとえ左右方向からの風を取り込むことができるとしても、その板から成る換気装置を既設の床下換気口へ図１のように取り付けなければならないが、その換気装置側の取付構造や床下換気口側の受け止め構造が不明である。
【０００６】
また、特許文献２に記載の「床下換気口ユニット」では、平面視の円弧状に弯曲する一対の仕切り板（２）によって、たとえ左右方向からの風（４）を取り込むことができるとしても、そのユニットを既設の床下換気口へ図１、２のように取り付けなければならないが、そのユニット側の取付構造や床下換気口側の受け止め構造がやはり不明である。
【０００７】
何れにしても、特許文献１に記載の「床下の換気装置」や特許文献２に記載の「床下換気口ユニット」では、既設の床下換気口と対応合致する大きさ・形状に製作する必要があり、如何なる大きさ・形状の既設床下換気口に対しても支障なく汎用的に使うことができないので、製作上の量産性と使用上の利便性に劣る。
【課題を解決するための手段】
【０００８】
本考案はこのような課題の改良を目的としており、その目的を達成するために、請求項１では地面に設置する安定接地座と、その接地座から連続一体に起立する風誘導壁とを備え、その風誘導壁の前面を建物における既設の床下換気口に向かって張り出す平面視の凸曲面に造形したことを特徴とする。
【０００９】
また、請求項２では同じく地面に設置する安定接地座と、その接地座から連続一体に起立する風誘導壁とを備え、その風誘導壁の前面を建物における既設の床下換気口に向かって張り出す平面視の二等辺三角形の二等辺となる傾斜面や等脚台形の等脚辺となる傾斜面、その他の左右対称な傾斜面に造形したことを特徴とする。
【００１０】
請求項３では風誘導壁を既設の床下換気口よりも大きい正面視の相似な輪郭形状に造形したことを特徴とする。
【００１１】
更に、請求項４では安定接地座の前端部を建物のコンクリート布基礎へ接当させれば、そのコンクリート布基礎やこれに開口している既設の床下換気口と、風誘導壁の凸曲面又は左右対称な傾斜面との相互間隙が常時一定に確保されることを特徴とする。
【考案の効果】
【００１２】
請求項１の上記構成によれば、その換気促進用具の安定接地座を地面へ設置するだけで使えるため、冒頭に述べた公知技術のように、既設の床下換気口と対応合致する大きさ・形状に製作する必要がなく、その製作上の量産性と使用上の利便性に優れる。
【００１３】
しかも、上記安定接地座から連続一体に起立する風誘導壁の前面が、建物における既設の床下換気口に向かって張り出す平面視の凸曲面に造形されているため、建物のコンクリート布基礎やこれに開口している床下換気口と、その凸曲面との向かい合う相互間隙が、風誘導壁の左右両端部（裾部）から中央部（頂点部）へ行くに連れて、徐々に床下換気口と接近する如く狭幅になる風流通路（通気路）として生成される。
【００１４】
その結果、その風流通路を流通する風（外気）は上記風誘導壁の凸曲面に沿って、建物の床下換気口へ自づと積極的・能動的に取り込まれる（給気される）ことになる一方、その床下換気口の内部からはやはり自づと積極的・能動的に引き出される（排気される）ことになり、極めて効率良く換気作用できるのであって、白アリの被害防止にも役立つ。
【００１５】
また、このような諸効果は風誘導壁の上記凸曲面に代る構成として、請求項２に記載の左右対称な傾斜面を採用しても、ほぼ同等に達成することができる。
【００１６】
何れにしても、請求項３の構成を採用するならば、既設床下換気口の換気作用を洩れなく、高効率に促進させることができるほか、その床下換気口に対する降雨や降雪の侵入も防止し得る効果がある。
【００１７】
更に、請求項４の構成を採用するならば、転倒防止に役立つ安定接地座の前端部を、建物のコンクリート布基礎へ接当させた状態で設置使用することにより、そのコンクリート布基礎や床下換気口と風誘導壁の前面（凸曲面又は左右対称な傾斜面）との相互間隙を、誰が地面へ設置使用する場合でも、常時一定不変に確保することができるのであり、安定な換気作用を得ることに役立つ。
【図面の簡単な説明】
【００１８】
【図１】本考案の基本実施形態に係る換気促進用具を示す斜面図である。
【図２】換気促進用具の設置使用状態を示す側断面図である。
【図３】図２の平面断面図である。
【図４】換気促進作用の平面説明図である。
【図５】本考案に係る第１変形実施形態の換気促進用具を示す図１に対応する斜面図である。
【図６】上記換気促進用具の使用状態を示す図３に対応する平面断面図である。
【図７】本考案に係る第２変形実施形態の換気促進用具を示す図１に対応する斜面図である。
【図８】上記換気促進用具の使用状態を示す図３に対応する平面断面図である。
【考案を実施するための形態】
【００１９】
以下、図面に基いて本考案の具体的構成を詳述すると、図１〜４はその本考案に係る換気促進用具（Ａ）の基本実施形態を示しており、これは屋根瓦やタイル、レンガ、コンクリートブロックと同様な比較的大きい質量を有する陶・磁器やセメントモルタルなどの材料から一体成形された製品として、地面（ＧＬ）に設置する安定接地座（Ｂ）と、その接地座（Ｂ）から連続的に起立する風誘導壁（Ｃ）とを備えている。
【００２０】
換気促進用具（Ａ）の接地座（Ｂ）は使用中の転倒を予防するほか、その前端部（１０）を建物のコンクリート布基礎（１１）へ接当させることにより、誰が地面（ＧＬ）に設置使用しても、コンクリート布基礎（１１）やこれに開口されている既設の床下換気口（１２）と、その換気促進用具（Ａ）の風誘導壁（Ｃ）との相互間隙（風流通路の開口幅）を、常時一定に確保することができるようになっている。（１３）は既設床下換気口（１２）の金網やメタルラス、その他のスクリーン、（１４）は建物の土台である。
【００２１】
他方、換気促進用具（Ａ）の風誘導壁（Ｃ）は既設床下換気口（１２）の換気作用を自動的に促進して、効率良く換気するためのものとして、床下換気口（１２）よりも大きい正面視の相似な輪郭形状（矩形）に造形されており、しかもその前面が床下換気口（１２）に向かって張り出す平面視の凸曲面（１５）をなしている。（Ｘ）は床下換気口（１２）の開口幅（Ｓ）よりも大きな風誘導壁（Ｃ）の一定幅、（Ｙ）はその風誘導壁（Ｃ）の一定な背丈であり、床下換気口（１２）の開口上縁部よりも背高く起立する。
【００２２】
つまり、風誘導壁（Ｃ）における建物の床下換気口（１２）と向かい合う前面は凸曲面（１５）として、図１のような一定厚み（ｔ）を有する平面視の円弧状（アーチ状）に弯曲形成されており、建物のコンクリート布基礎（１１）やこれに開口している床下換気口（１２）と、その凸曲面（１５）との向かい合う相互間隙（風流通路の開口幅）（Ｗ１）（Ｗ２）が、風誘導壁（Ｃ）の左右両端部（裾部）（１５ｅ）から中央部（頂点部）（１５ｃ）へ行くに連れて、徐々に床下換気口（１２）と接近する如く狭くなる風流通路（通気路）（Ｐ）を生成するようになっている。（Ｗ１）はその中央部（頂点部）（１５ｃ）での最も狭い開口幅、（Ｗ２）は左右両端部（裾部）（１５ｅ）での最も広い開口幅を示している。
【００２３】
その場合、風流通路（Ｐ）を生成できる凸曲面（１５）であるならば、その左右両端部（裾部）（１５ｅ）での最も広い開口幅（Ｗ２）が左右均等の寸法であることや、その凸曲面（１５）としての円弧形状（アーチ形状）が中央部（頂点部）（１５ｃ）を中心（Ｏ−Ｏ）とする左右対称な平面形状であることを要しないが、その左右対称な平面形状に造形しても良い。
【００２４】
上記基本実施形態の換気促進用具（Ａ）を使用するに当っては、その安定接地座（Ｂ）の前端部（１０）を建物のコンクリート布基礎（１１）と接当するように、地面（ＧＬ）へ設置して、その換気促進用具（Ａ）の風誘導壁（Ｃ）により図２、３のように、床下換気口（１２）の正面を被覆する関係状態に保てば良い。
【００２５】
そうすれば、図４の作用平面図から示唆されるように、今同図の左方向から右方向へ風（外気）が流通すると仮定した場合、その風は上記風誘導壁（Ｃ）により生成された風流通路（Ｐ）の最も広い開口幅（Ｗ２）の左端部（１５ｅ）から、その風誘導壁（Ｃ）の凸曲面（１５）に沿って実線矢印のように、床下換気口（１２）へ確実に取り込まれる（給気される）ことになる一方、その床下換気口（１２）の内部からは風（内気）が同じく風誘導壁（Ｃ）の凸曲面（１５）に沿って、風流通路（Ｐ）の最も広い開口幅（Ｗ２）の右端部（１５ｅ）へ、実線矢印のように引き出される（排気される）ことになり、自づと積極的・能動的に換気作用されるのである。
【００２６】
また、逆に同図の右方向から左方向へ風（外気）が流通すると仮定した場合でも、その風は風流通路（Ｐ）の最も広い開口幅（Ｗ２）の右端部（１５ｅ）から、やはり風誘導壁（Ｃ）の凸曲面（１５）に沿って点線矢印のように、床下換気口（１２）へ確実に取り込まれる（給気される）ことになる一方、その床下換気口（１２）の内部からは風（内気）が同じく風誘導壁（Ｃ）の凸曲面（１５）に沿って風流通路（Ｐ）の最も広い開口幅（Ｗ２）の左端部（１５ｅ）へ、点線矢印のように引き出される（排気される）ことになり、床下換気口（１２）の換気作用が自づと積極的・能動的に営まれるのである。
【００２７】
しかも、その際風誘導壁（Ｃ）により生成された風流通路（Ｐ）は、その凸曲面（１５）の左右両端部（裾部）（１５ｅ）から中央部（頂点部）（１５ｃ）へ行く程、徐々に床下換気口（１２）と接近する如く狭くなる開口幅（Ｗ１）を有するため、床下換気口（１２）へ進むに連れて速く又は高勢力に流通する風（外気）が、床下換気口（１２）を目指して集中的に効率良く取り込まれる（給気される）ことになる一方、床下換気口（１２）の内部からはやはり速く又は高勢力に流通する風（外気）によって、その内気が積極的に効率良く引き出される（排気される）のであり、優れた換気効果を自動的に得られる。
【００２８】
次に、図５、６は先の図１、３と対応する本考案の第１変形実施形態を示しており、この換気促進用具（Ａ）の構成では風誘導壁（Ｃ）における建物の床下換気口（１２）と向かい合う前面を、上記基本実施形態のような平面視の凸曲面（１５）に代えて、平面視の二等辺三角形の二等辺となる左右対称な傾斜面（１５Ｌ）（１５Ｒ）に造形している。
【００２９】
また、図７、８は本考案の第２変形実施形態を示しており、この換気促進用具（Ａ）の構成では風誘導壁（Ｃ）における上記床下換気口（１２）と向かい合う前面を、平面視の等脚台形の等脚辺となる左右対称な傾斜面（１５Ｌ）（１５Ｒ）に造形している。
【００３０】
その場合、図７、８に併せて示す如く、換気促進用具（Ａ）の安定接地座（Ｂ）としては、図１〜３の上記基本実施形態や図５、６の第１変形実施形態に説示したような大きな１個の平板形態のみに限らず、別個な左右一対の小さい板片形態として並列設置してもさしつかえない。
【００３１】
上記第１、２変形実施形態に係る換気促進用具（Ａ）の構成でも、その風誘導壁（Ｃ）の左右対称な傾斜面（１５Ｌ）（１５Ｒ）によって、風誘導壁（Ｃ）の左右両端部（裾部）（１５ｅ）（１５ｅ）から中央部（頂点部）（１５ｃ）へ行くに連れて、徐々に建物の床下換気口（１２）と接近する如く狭幅になる風流通路（Ｐ）を生成することができているため、上記基本実施形態の図４と同じ高効率の換気作用（床下換気口に対する風の積極的・能動的な給排作用／入れ換え作用）が自づと営なまれることになり、優れた換気効果を得られるのである。
【００３２】
更に、上記第1、 2変形実施形態に係る換気促進用具（Ａ）の構成では、その風誘導壁（Ｃ）における平面視の左右対称な傾斜面（１５Ｌ）（１５Ｒ）同士が交叉する関係となる角度（θ）を、９０度よりも大きな鈍角に設定することが好ましい。
【００３３】
そうすれば、換気促進用具（Ａ）の風誘導壁（Ｃ）を床下換気口（１２）よりも大きな正面視の矩形に作成する場合、その一定幅（Ｘ）を床下換気口（１２）の開口幅（Ｓ）より拡大しつつも、その奥行（深さ）の大きく（深く）なり過ぎることを抑制することができ、建物のコンクリート布基礎（１１）へ接当させた状態での設置使用中、そのコンクリート布基礎（１１）から大きく張り出すことによる通行上の障害物となることを予防し得る効果がある。
【００３４】
尚、図５〜８の第１、２変形実施形態におけるその他の構成と使用法は、図１〜４の上記基本実施形態と実質的に同一であるため、その図５〜８に図１〜４と同じ符号を記入するにとどめて、その詳細な説明を省略する。
【符号の説明】
【００３５】
（１０）・前端部
（１１）・コンクリート布基礎
（１２）・床下換気口
（１３）・スクリーン
（１４）・建物の土台
（１５）・凸曲面
（１５ｃ）・中央部（頂点部）
（１５ｅ）・左右両端部（裾部）
（１５Ｌ）（１５Ｒ）・傾斜面
（Ａ）・換気促進用具
（Ｂ）・安定接地座
（Ｃ）・風誘導壁
（Ｐ）・風流通路（通気路）
（Ｓ）・床下換気口の開口幅
（ＧＬ）・地面
（Ｗ１）（Ｗ２）・開口幅
（Ｘ）・風誘導壁の幅
（Ｙ）・風誘導壁の背丈
（Ｏ−Ｏ）・中心
【図１】
0003207280.tif 000003
【図２】
0003207280.tif 000004
【図３】
0003207280.tif 000005
【図４】
0003207280.tif 000006
【図５】
0003207280.tif 000007
【図６】
0003207280.tif 000008
【図７】
0003207280.tif 000009
【図８】
0003207280.tif 000010
【手続補正書】
【提出日】平成28年8月23日(2016.8.23)
【手続補正１】
【補正対象書類名】図面
【補正対象項目名】図８
【補正方法】変更
【補正の内容】
【図８】
0003207280.tif 000011